(57)【特許請求の範囲】
【請求項１】
磁気ヘッドが衝撃外力によって磁気ディスク側へ移動するのを規制するハードディスク駆動装置のラッチ機構であって、
前記ラッチ機構を構成する部材を、流動性を有する液晶ポリマーをベースに金属系充填材を配合して比重３〜１０とした樹脂材料によって成形してなっていることを特徴とするハードディスク駆動装置のラッチ機構。
【請求項２】
ラッチ機構部材がリンク部材である請求項１記載のハードディスク駆動装置のラッチ機構。
【請求項３】
ベースの液晶ポリマー７〜４５重量％に、金属系充填材としてタングステン５５〜９３重量％を配合してなっている請求項１または２記載のハードディスク駆動装置のラッチ機構。
【発明の詳細な説明】
【０００１】
【発明の属する技術分野】
本発明は、記憶媒体の磁気ディスクに情報を磁気ヘッドによって読み取り／書き込みを行うコンピュータのハードディスク駆動装置（以下、ＨＤＤという）において、微小な衝撃や振動によって磁気ヘッドが移動して破損することから防護するラッチ機構に関する。
【０００２】
【従来の技術】
図１および図２は、ＨＤＤの一般例を示す全体の平面図とその要部拡大図である。ハウジング１内に設けたスピンドル軸２の同軸上で等間隔に重ねた例えば３枚の記憶媒体である磁気ディスク３が回転する。この磁気ディスク３に情報を書き込み／読み取りを行うための磁気ヘッド（図示せず）がヘッドアーム４の先端部に装着され、ヘッドアーム４はその基端でピボット軸５に軸支されて旋回動作する。ヘッドアーム４は、サスペンション、スライダおよび持ち上げフィーチャなどといった部品を支持している。そのスライダの下面に装着された磁気ヘッドは、ＨＤＤの作動停止（アンロード）時、ランプ構造部６に保持されて磁気ディスク３から離れた位置で待機している。
【０００３】
ＨＤＤの作動（ロード）時、起動後に磁気ディスク３がある程度の回転速度に達すると、ヘッドアーム４がピボット軸５を支点に図１中の矢印Ｘで示す反時計廻り方向へ旋回動作して、磁気ヘッドがそれまで保持していたランプ構造部６から解放され、磁気ディスク３に向かって移動する。磁気ヘッドは磁気ディスク３の表面から数ミクロンといった距離に浮上して静止し、情報の書き込み／読み取りを行う。
【０００４】
ところで、ラップトップパソコンやノートパソコンと呼ばれる携帯型コンピュータに搭載されたＨＤＤの場合は特に、持ち運び中の衝撃や振動などによってヘッドアーム４が不用意に磁気ディスク３側へ移動し、それまで保持されて待機中の磁気ヘッドがランプ構造部６から解放されてしまうことがある。その結果、磁気ヘッドが磁気ディスク３の表面に接触したり吸着したりして、双方破損に至り、情報を消去するといった事態をひき起こす場合がある。
【０００５】
そうした不具合を防止するため、衝撃や振動による外力がＨＤＤに働いた場合でも、不用意にヘッドアーム４が移動して磁気ヘッドをランプ構造部６から解放しないように防止するストッパ機能として、図１中の円内Ｃで示すラッチ機構１０が設けられている。
【０００６】
拡大図の図２から明らかなように、ラッチ機構１０は上記ヘッドアーム４の基端部両側に設けたロック爪４ａ，４ｂに当接してアーム回転動作を解除したり、また回転動作を規制する。すなわち、支軸のヒンジピン１１ａに軸支されて反時計廻りのＡ方向と時計廻りのＢ方向に揺動のごとき回転微動が可能な長尺のリンク部材１１を備え、このリンク部材１１の先端部に設けた一方の突起１１ｂに当接する短小のリンク部材１２と、他方の突起１１ｃに当接する短小のリンク部材１３を有し、また板ばね１４などの各部材によって構成されている。したがって、これらの各部材がＨＤＤロード時は解除されてヘッドアーム４の反時計廻りの回動を可能にし、ＨＤＤアンロード時はヘッドアーム４のロック爪４ａ，４ｂに係合することで、ヘッドアーム４の移動を制止する。
【０００７】
【発明が解決しようとする課題】
しかしながら、かかるラッチ機構１０にあっては、ＨＤＤが比較的大きな衝撃外力を受けたときは対応してヘッドアーム４の移動を規制するが、衝撃外力が微小な場合は、構成部材のなかでも特に大型で複雑形状のリンク部材１１の応答性が悪い。その理由としては、リンク部材１１が樹脂製で重量的にも軽いことがあげられる。重量増加を狙ってリンク部材１１を樹脂製のものから金属製に代えることが考えられが、図示のごとき長尺で複雑な形状をプレス成形など機械加工するには金型などの製作が非常に困難であり、コスト高となる問題点がある。
【０００８】
以上の問題点に鑑み、本発明の目的は、特にラップトップパソコンやノートブック型パソコンなど携帯型コンピュータに好適であり、軽量であるがゆえに持ち運び中の振動や衝撃による外力で磁気ヘッドが不用意に移動して磁気ディスクとの接触や吸着で破損などをひき起こすのを回避するストッパ機能としてのラッチ機構を改良し、微動な外力にも良好に対応できる信頼性の高いＨＤＤのラッチ機構を提供することにある。
【０００９】
【課題を解決するための手段】
上記目的を達成するために、本発明にかかるＨＤＤのラッチ機構は、特定の部材を、流動性を有する液晶ポリマー７〜４５重量％をベース材料にして、これに金属系充填材として５５〜９３重量％のタングステンを配合して比重３〜１０とした樹脂材料で成形してなっていることを特徴とする。
以上の構成により、ラッチ機構を構成する部材、たとえば長尺で複雑形状のリンク部材を従来の軽量な樹脂製のものに代えて、金属系のタングステンを充填して重量を増加させ、その金属系タングステンを充填したことで流動性が低下するのを、流動性に優れた液晶ポリマーをベース材料にした高比重材で射出成形する。それにより、ＨＤＤの作動停止時（アンロード時）に微小な衝撃外力などが働いた場合でも、その重量化を図った特定の部材がラッチ機構の構成部品として良好に応答し、磁気ヘッドが不用意に磁気ディスク側に移動して接触や吸着するのを規制し、破損などから防止する。
【００１０】
【発明の実施の形態】
以下、本発明にかかるＨＤＤのラッチ機構の実施の形態について、上記図１を併用して図２に基づき詳細に説明する。
【００１１】
図１で示されたラッチ機構１０を構成するリンクのうち、大型かつ複雑形状のリンク部材１１の応答性を高めるために材質を改良して重量増大を図り、しかも射出成形が可能となるようにする。ただし、そうした改良はリンク部材１１、１２、１３だけに限定されるものではなく、他の構成部材についても本発明の技術思想を適用できる。
【００１２】
金属系充填材として５５〜９３重量％、好ましくは７８〜９１重量％のタングステンを配合することにより高比重化してリンク部材１１の重量を増大させる。射出成形して製造する場合、その金属系タングステンの充填によって流動性が低下する。それを流動性に優れた配合比７〜４５重量％、好ましくは９〜２２重量％の液晶ポリマー（ＬＣＰ）をベース材料とすることによりカバーし、比重３〜１０、好ましくは５〜９という高比重でしかも流動性の良好な高比重樹脂とすることで射出成形が可能となる。
【００１３】
タングステンとしては、粒径が０．１〜４０μｍである粉末状のものが用いられ、液晶ポリマーとしては射出成形可能な任意の市販品を用いることができる。タングステンの配合割合がこれ以下では、所望の高比重化が達成されず、一方これ以上の割合で用いられると、成形性が損なわれるようになる。
【００１４】
そのように重量増大化を実現したリンク部材１１をラッチ機構１０の構成部品として装着することにより、ＨＤＤの作動停止時に微小な衝撃外力などが働いた場合でも、そのリンク部材１１が応答性良く支点１１ａ周りで矢印Ｂ方向へ回動し、他のリンク部材１２等々と共働してヘッドアーム４のロック爪４ａに係合して、ヘッドアーム４の反時計廻りの不用意な回動、つまり磁気ディスク３側への移動を阻止する。それによって、ヘッドアーム４の先端部に装着されている磁気ヘッドが磁気ディスクに接触や吸着して破損などをひき起こすといった不具合を防止する。
【００１５】
次に、表１は、ＬＣＰ(ポリプラスティックス製品ベクトラＡ９５０)をベース材料に、金属系充填材として８９重量％のタングステン(平均粒径５μｍ)を充填した比重３〜１０の範囲にあって、比重８とした高比重樹脂材を射出成形して得た実施例１のリンク部材１１に対し、非強化ＰＣ（ポリカーボネート）を用いた比較例１、ＬＣＰのみの非強化ＬＣＰを用いた比較例２、ＬＣＰをベース材料にして３０重量％のＰＴＦＥ（テトラフルオロエチレン）を配合した比較例３のそれぞれ物性を比較して示す。
【００１６】
【表１】
0004614555.tif 000002
【００１７】
この表１から明らかなように、実施例１のリンク部材１１は、比重８という重量の大きい高比重材樹脂料で射出成形され、機械的性質も満足すべき評価が得られた。また、表１に記載していないが、比較例４として６−ナイロンをベース材料としてタングステンを充填したした高比重樹脂材でリンク部材１１を射出成形したものは機械的性質でいう脆性が低く、ラッチ機構１０の構成部品としては不適という評価を得た。
【００１８】
【発明の効果】
以上説明したように、本発明にかかるＨＤＤのラッチ機構は、ラッチ機構を構成する部材、たとえば長尺で複雑形状のリンク部材を従来の軽量な樹脂製のものに代えて、金属系のタングステンを充填して重量を増加させ、その金属系タングステンを充填したことで流動性が低下するのを、流動性に優れたＬＣＰ（液晶ポリマー）をベース材料にした高比重樹脂材で射出成形し、ＨＤＤの作動停止時に微小な衝撃外力などが働いた場合でもその特定の部材がラッチ機構の構成部品として良好に応答でき、磁気ヘッドが不用意に磁気ディスク側に移動して接触や吸着することによる破損などから防止して、ラッチ機構としての信頼性を高めるのに有効である。また、このラッチ機構部材は、低アウトガス性および寸法精度の点でもすぐれている。
【図面の簡単な説明】
【図１】本発明にかかるラッチ機構を装着したＨＤＤの一般例を示す平面図である。
【図２】改良されたリンク部材からなるラッチ機構を拡大して示す平面図である。
【符号の説明】
１                ハウジング
２                スピンドル軸
３                記憶媒体の磁気ディスク
４                ヘッドアーム
４ａ，４ｂ        ロック爪
５                ピボット軸
６                ランプ構造部
１０              ラッチ機構
１１，１２，１３  リンク部材
１１ａ            支点
１４              板ばね
【図１】
0004614555.tif 000003
【図２】
0004614555.tif 000004